(57)【特許請求の範囲】
【請求項１】
前面側に開口するグリルを有し、流し台の天面開口部から該流し台内に収納される本体部、及び該本体部の上面に装着されて前記天面開口部の周縁に係止するトッププレートからなる本体ユニットと、
前記流し台の前面開口部に収納されて前記本体ユニットの本体部に固定される前面ユニットと、
前記本体ユニットを前記流し台に組み込んだのち、前記前面ユニットを前記前面開口部に組み込んで前記本体部に固定すると共に、該本体部に電気的に接続し、
前記本体ユニットの本体部の両側に前後方向に摺動可能な支持体を設け、該支持体に前記前面ユニットを取付け又は載置し、前記支持体を押し込んで前記前面ユニットを前記前面開口部に組み込み、
前記支持体を回動可能に構成してその後端部に係止片を設け、前記係止片を前記本体部に設けた係止部に係止させる
ことを特徴とする組み込み式加熱調理器。
【請求項２】
前面側に開口するグリルを有し、流し台の天面開口部から該流し台内に収納される本体部、及び該本体部の上面に装着されて前記天面開口部の周縁に係止するトッププレートからなる本体ユニットと、
前記流し台の前面開口部に収納されて前記本体ユニットの本体部に固定される前面ユニットと、
前記本体ユニットを前記流し台に組み込んだのち、前記前面ユニットを前記前面開口部に組み込んで前記本体部に固定すると共に、該本体部に電気的に接続し、
前記本体ユニットの本体部の両側に前後方向に摺動可能な支持体を設け、該支持体に前記前面ユニットを取付け又は載置し、前記支持体を押し込んで前記前面ユニットを前記前面開口部に組み込み、
前記支持体を回動可能に構成してその後端部に係止片を設け、該支持体を所定の位置まで押し込んだのち回動させて、前記係止片を前記本体部に設けた係止部に係止させる
ことを特徴とする組み込み式加熱調理器。
【請求項３】
前面側に開口するグリルを有し、流し台の天面開口部から該流し台内に収納される本体部、及び該本体部の上面に装着されて前記天面開口部の周縁に係止するトッププレートからなる本体ユニットと、
前記流し台の前面開口部に収納されて前記本体ユニットの本体部に固定される前面ユニットと、
前記本体ユニットを前記流し台に組み込んだのち、前記前面ユニットを前記前面開口部に組み込んで前記本体部に固定すると共に、該本体部に電気的に接続し、
前記本体ユニットの本体部に設けたグリルの加熱庫を着脱可能に構成し、前記前面ユニットを前記前面開口部に組み込んだのち前記加熱庫を前記前面ユニットから本体部内に設置する
ことを特徴とする組み込み式加熱調理器。
【請求項４】
前面側に開口するグリルを有し、流し台の天面開口部から該流し台内に収納される本体部、及び該本体部の上面に装着されて前記天面開口部の周縁に係止するトッププレートからなる本体ユニットと、
前記流し台の前面開口部に収納されて前記本体ユニットの本体部に固定される前面ユニットと、
前記本体ユニットを前記流し台に組み込んだのち、前記前面ユニットを前記前面開口部に組み込んで前記本体部に固定すると共に、該本体部に電気的に接続し、
前記本体ユニットの本体部に、前記前面ユニットを前記前面開口部に組み込んだときに駆動され、前記本体部を流し台にロックするロック機構を設けた
ことを特徴とする組み込み式加熱調理器。
【請求項５】
前記前面ユニットは、操作を受けるインターフェースが設けられた前面意匠パネル、及び該前面意匠パネルと並設され前記本体部に設けたグリルの加熱庫の周縁を覆うグリル意匠パネルと、回路基板等を有し前記前面意匠パネルの背面側に着脱可能に装着される前面構造部とによって構成されていることを特徴とする請求項１〜４のいずれかに記載の組み込み式加熱調理器。
【請求項６】
前記本体ユニットの本体部と前記前面ユニットとをコネクタにより接続することを特徴とする請求項１〜５のいずれかに記載の組み込み式加熱調理器。
【請求項７】
前記本体ユニットの本体部の前面側に該本体部に設けた制御部に接続された第１のコイルを設けると共に、前記前面ユニットに前記第１のコイルと対向して第２のコイルを設け、該第２のコイルを前記前面ユニットに設けた操作部に接続したことを特徴とする請求項１〜５のいずれかに記載の組み込み式加熱調理器。
【請求項８】
前記ロック機構を、前端部が本体部から突出し該本体部に沿って前後方向に移動可能に配設された連結棒と、一端が該連結棒の後端部に回動可能に連結腕、長穴を有し前記連結腕の他端に摺動可能かつ該連結腕に所定の角度で固定される固定腕とを有し、
前記前面ユニットを前記前面開口部に組み込んだときに前記連結棒の先端部を押圧し、前記固定腕の先端部が前記流し台の天板に圧着するように構成したことを特徴とする請求項４記載の組み込み式加熱調理器。
【発明の詳細な説明】
【技術分野】
【０００１】
本発明は、流し台等に組み込まれる誘導加熱調理器などの組み込み式加熱調理器に関するものである。
【背景技術】
【０００２】
現在、主流となっているシステムキッチンにおいては、組み込み式の誘導加熱調理器が、その清掃性や見た目のすっきり感などから多く採用されており、調理器として機能のより充実化が求められている。機能の充実化に伴ってそれに必要な実装容積が必要であるが、キッチンメーカ間の規格化などにより筐体の大きさには規定があるため、筐体内の部品の実装密度が増大する傾向にある。
【０００３】
従来の技術に、上部ユニットと下部ユニットを分割した組み込み式加熱調理器がある。この組み込み式加熱調理器は、天板の開口部に収納される上部ユニットと、この上部ユニットの本体ケースに設けた上部吊り下げ板と、天板の前面から取り付けられ上部吊り下げ板に差し込まれる下部ユニットの下部吊り下げ板とを有する構成となっており、組み込み時には、下部ユニットを上部ユニットの吊り下げ板に一部差し込んでから下部ユニットを組み込むことができるため、一般的な組み込み方式となっている上面から本体を組み込む方式に対して、本体の後方下部の筐体角部を面取りする必要がなく、容積効率の高い組み込み式加熱調理器を得ることができるとしている（例えば、特許文献１参照）。
【先行技術文献】
【特許文献】
【０００４】
【特許文献１】特許第２９１０４３６号公報（第３−４頁、図１−２）
【発明の概要】
【発明が解決しようとする課題】
【０００５】
特許文献１の組み込み式加熱調理器においては、下部ユニットが大きく重量も大であるため前面側からの組み込み時の作業性が悪く、また、上部ユニットと下部ユニットとを電気的に接続する際に、組み込み後の作業となって面倒であったり、接続が確実に行われないという問題が発生するおそれがあった。
【０００６】
本発明は、上記の課題を解決するためになされたもので、容積効率が高く、流し台への組み込みの施工性がよく、その上電気的な接続を確実に行うことのできる組み込み式加熱調理器を提供することを目的としたものである。
【課題を解決するための手段】
【０００７】
本発明に係る組み込み式加熱調理器は、前面側に開口するグリルを有し、流し台の天面開口部から該流し台内に収納される本体部、及び該本体部の上面に装着されて前記天面開口部の周縁に係止するトッププレートからなる本体ユニットと、前記流し台の前面開口部に収納されて前記本体ユニットの本体部に固定される前面ユニットと、前記本体ユニットを前記流し台に組み込んだのち、前記前面ユニットを前記前面開口部に組み込んで前記本体部に固定すると共に、該本体部に電気的に接続し、前記本体ユニットの本体部の両側に前後方向に摺動可能な支持体を設け、該支持体に前記前面ユニットを取付け又は載置し、前記支持体を押し込んで前記前面ユニットを前記前面開口部に組み込み、前記支持体を回動可能に構成してその後端部に係止片を設け、前記係止片を前記本体部に設けた係止部に係止させるものである。
【発明の効果】
【０００８】
本発明によれば、本体部の容積効率が高く、流し台への組み込みの施工性がよく、その上電気的接続を確実に行うことのできる組み込み式加熱調理器を得ることができる。
【図面の簡単な説明】
【０００９】
【図１】本発明の実施の形態１に係る組み込み式加熱調理器を流し台に組み込んだ状態を示す斜視図である。
【図２】図１の前面ユニットを加熱調理器の本体部に組み付ける前の状態を示す一部を省略した斜視図である。
【図３】図１の本体ユニット及び前面ユニットを流し台へ組み込む手順の説明図である。
【図４】図３の組み込み終了後の状態を示す説明図である。
【図５】本発明の実施の形態２に係る加熱調理器の要部の説明図である。
【図６】実施の形態２の他の例の説明図である。
【図７】図６の前面ユニットの固定手段の説明図である。
【図８】本発明の実施の形態３に係る加熱調理器の要部の説明図である。
【図９】本発明の実施の形態４に係る加熱調理器の要部の説明図である。
【図１０】本発明の実施の形態５に係る加熱調理器の要部の説明図である。
【発明を実施するための形態】
【００１０】
［実施の形態１］
本発明の実施の形態１に係る組み込み式加熱調理器を示す図１〜図４において、流し台１の天板２には天面開口部３が設けられており、前面板４には前面開口部５が設けられている。
１０は流し台１に組み込まれた組み込み式加熱調理器（以下、単に加熱調理器と記す）で、流し台１の天面開口部３から流し台１内に収納される本体部１２、及び板ガラス等の非磁性材からなり、本体部１２の上面に装着されるトッププレート１５からなる本体ユニット１１と、流し台１の前面開口部５に装着される前面ユニット３０とからなっている。
【００１１】
図１〜図３において、本体ユニット１１を構成する本体部１２は、上面が開口され、流し台１の天面開口部３より若干小さい外形で箱状に形成され、前面側には一方の側に片寄って後述のグリル４０を構成する加熱庫４１が設けられており、他方の側には後述の本体部１２の前面側に設けたコネクタ３５の接続部が露出する開口部１３が設けられている。
【００１２】
また、トッププレート１５は流し台１の天面開口部３より大きく形成され、上面には印刷等により鍋等の調理容器の載置部１６ａ〜１６ｃが設けられており、後部側には吸気口１７ａ及び排気口１７ｂが設けられている。なお、図示してないが、本体部１２内には、トッププレート１５に設けた載置部１６ａ〜１６ｃと対向して、例えば誘導加熱コイルからなる加熱部がそれぞれ設けられており、また、これら加熱部への通電等を制御する制御部などが設けられている。
【００１３】
前面ユニット３０は、インターフェースが設けられた前面意匠パネル３１と、本体部１２に設けたグリル４０の加熱庫４１の開口部周縁に装着されるグリル意匠パネル３２とからなっている。そして、前面意匠パネル３１の背面側には、電子部品が搭載された基板等を内蔵した前面構造部３３が着脱可能に設けられている。なお、以下の説明では前面構造物３３を含めて前面ユニット３０と記すことがある。
４２は取っ手４３を有するグリル４０の扉で、内側には受け皿４４が着脱可能に設けられており、この受け皿４４には被加熱物を載せる金網が載置されている（図８参照）。
【００１４】
次に、上記のように構成した加熱調理器１０の流し台１への組み込み手順について説明する。
先ず、図３に示すように、上面にトッププレート１５が装着された本体ユニット１１の本体部１２を、破線で示すように、流し台１の天面開口部３から流し台１内に挿入し、トッププレート１５の外周を上面開口部３の周縁に係止させて懸架する。
【００１５】
ついで、前面ユニット３０を流し台１の前面開口部５内に挿入し、前面意匠パネル３１の背面に設けた前面構造部３３を本体ユニット１１の本体部１２の前面側に当接又は近接させ、背面側に設けたコネクタ３４を本体部１２のコネクタ３５と接続する。
このとき、前面ユニット３０のグリル意匠パネル３２は、本体部１２に設けたグリル４０の加熱庫４１の開口部周縁に当接する。
【００１６】
この状態で、本体部１２と前面ユニット３０の前面構造部３３の底面を連結金具６等により固定する。
この場合、前面構造部３３は前面意匠パネル３１と分離できるので、先ず、前面構造部３３を流し台１の前面開口部５に挿入し、コネクタ３４，３５を接続して位置決めなどを行って連結金具６等で固定したのち、前面ユニット３０を取付けるようにすれば、前面意匠パネル３１等を傷付けることなく組み付けることができる。
【００１７】
図１、図４は加熱調理器１０を流し台１に組み込んだ状態を示すもので、加熱調理器１０はその給電用のプラグ１９を外部電源のソケット６０に接続することにより電気的に接続される。
また、前面ユニット３０のグリル意匠パネル３２から加熱庫４１内に、受け皿４３を有する扉４２を挿入することにより加熱庫４１の開口部が閉塞される。このとき、前面意匠パネル３１の前面とグリル４０の扉４２の前面とはほぼ同一平面上に位置する。
【００１８】
本実施の形態によれば、前面意匠パネル３１と前面構造部３３及びグリル前面パネル３２からなる前面ユニット３０を、流し台１の前面開口部５内に配置して本体ユニット１１の本体部１２の前面側に設けたので、容積効率のよい本体部１２を実現することができ、その上前面から挿入する前面構造部３３が小型軽量なので施工性がよく、電気的な接続を確実に行うことができる組み込み式加熱調理器を得ることができる。
【００１９】
［実施の形態２］
図５は本発明の実施の形態２に係る加熱調理器の要部の説明図である。なお、実施の形態１と同じ部分には、これと同じ符号を付してある。
本実施の形態は、本体ユニット１１の本体部１２の両側の下部角部の前後方向に、断面ほぼ四角形状又は円弧状で外側に開口した凹部２０ａ，２０ｂを設け、この凹部２０ａ，２０ｂに断面コ字状又はＣ字状のガイド部２１を設けて、このガイド部２１に棒状の支持体２２ａ，２２ｂを軸方向に摺動可能に挿通したものである。
【００２０】
そして、前面構造部３３を含む前面ユニット３０を流し台１の前面開口部５に組み込むにあたっては、支持体２２ａ，２２ｂをガイド部２１から引き出してその先端部に前面ユニット３０を取り付け、ついで、これを押し込んで前面開口部５内に挿入し、前面構造部３３を本体部１２に固定し、グリル意匠パネル３２を加熱庫４１の開口部周縁に配置したものである。
【００２１】
図６は本実施の形態の他の例の説明図である。
本例は、本体ユニット１１の本体部１２の左右の側壁の内壁面の下部に、断面コ字状又はＣ字状のガイド部２１を対向して設け、このガイド部２１に軸方向に摺動可能に一対の支持体２２を挿通し、この両支持体２２の上に前面構造部３３を含む前面ユニット３０を載置し、支持体２２を押し込んで前面開口部５内に前面ユニット３０を設置するようにしたものである。
【００２２】
上記のように構成した本例において、本体部１２の後壁のガイド部２１の延長線上に永久磁石２３を設けておけば、支持体２２を押し込む際に、永久磁石２３の吸引力により支持体２２を容易に押し込むことができる。
また、図６、図７に示すように、支持体２２を先端部に設けたハンドル２２ｅによりガイド部２１内に回動可能に構成すると共に、後端部に係止片２４を設け、支持体２２を所定の位置まで押し込んで回動させることにより、本体部１２に設けた係止部２５に係止片２４を係止させるようにすれば、前面ユニット３０を本体部１２に着脱可能、かつより確実に固定することができる。
【００２３】
一般に、本体ユニット１１の本体部１２を挿入する天面開口部３及び前面ユニット３０を挿入する前面開口部５は、施工し易いようにこれらの外形より大きく形成されているため、天面開口部３及び前面開口部５に本体部１２や前面ユニット３０を挿入すると、両者の間のすき間によりずれを生ずることが多い。このため、ずれを修正しながら固定しているが、特に、前面ユニット３０に設けた前面構造部３３のずれ修正が面倒であった。
【００２４】
本実施の形態は、前面ユニット３０を組み付ける際に、支持体２２を引き出してこれに前面ユニット３０を取付け又は載置し、支持体２２を押し込んで前面開口部５内に前面ユニット３０を挿入するようにしたので、前面構造部３３を本体部１２に位置ずれすることなく連結し、固定することができる。
【００２５】
［実施の形態３］
図８は本発明の実施の形態３に係る加熱調理器の要部の説明図である。なお、実施の形態１と同じ部分には、これと同じ符号を付してある。
実施の形態１では、本体ユニット１１の本体部１２内に、前面側に開口するグリル４０の加熱庫４１を設け、その開口部の周縁に前面パネル３０のグリル意匠パネル３２を配置した場合を示したが、本実施の形態は、加熱庫４１を本体部１２とは別に設けたものである。
【００２６】
本実施の形態においては、本体部１２の前面板の実施の形態１の加熱庫４１を設けた位置に、開口部１４を設けておく。
そして、先ず、流し台１の前面開口部５内に前面構造部３３及び前面ユニット３０を装着して、本体部１２の開口部１４の周縁にグリル意匠パネル３２を位置させる。ついで、図８に示すように、前面ユニット３０のグリル意匠パネル３２内に前面側から本体部１２内に加熱庫４１を挿入して取付ける。
【００２７】
実施の形態１においては、本体ユニット１１の本体部１２と前面ユニット３０の前面構造部３３とは、底面に設けた連結金具６により固定されているが、グリル４０の加熱庫４１の前面側周辺において、前面ユニット３０と本体部１２との間に接触面（以下、分断面という）が生じている。
調理により加熱庫４１内の温度が上昇すると、本体部１２と加熱庫４１とが一体構成である場合、熱による変形、寸法誤差や組み込み時のずれなどにより、前面ユニット３０のグリル意匠パネル３２と本体部１２の加熱庫４１の周辺との間の分断面にすき間が生じ、このすき間から熱が漏れて本体部１２内の電子部品などに影響を与えるおそれがある。
【００２８】
本実施形態は、グリル４０の加熱庫４１を本体ユニット１１の本体部１２とは別体に構成し、流し台１の前面開口部５に前面ユニット３０を組み込んで前面構造部３５を本体部１２に固定したのち、加熱庫４１を、前面ユニット３０の前面側から本体部１２内に挿入するようにしたので、加熱庫４１の周囲を前面ユニット３０と一体化することができ、このため加熱庫４１からの熱漏れの少ない加熱調理器１０を得ることができる。
【００２９】
また、加熱庫４１を着脱可能としたので、グリル４０を使用したのち加熱庫４１を取り出して洗浄することができるため、常に清潔で清掃性にすぐれたグリル４０を備えた加熱調理器１０を得ることができる。
【００３０】
［実施の形態４］
図９は本発明の実施の形態４に係る加熱調理器の要部の説明図である。なお、実施の形態１と同じ部分には、これと同じ符号を付してある。
実施の形態１では、前面ユニット３０と一体的に設けた前面構造部３３と、本体ユニット１１の本体部１２とを、コネクタ３４と３５により電気的に接続した場合を示したが、本実施の形態においては、前面構造部３３と本体部１２とを、非接触により電気的に接続したものである。
【００３１】
図９において、３６は本体部１２の前面側に設けた第１のコイルで、本体部１２内に設けた制御部３７に接続されている。３８は前面構造部３３の背面側において、第１のコイル３６と対向して設けられた第２のコイルである。３９は前面ユニット３０の前面意匠パネル３１に設けられ、第２のコイル３８と電気的に接続された操作部で、その操作ボタン３９ａは前面意匠パネル３１の前面から露出しており、加熱調理器１０の動作が設定される。
【００３２】
操作ボタン３９ａを操作すると、その変位は操作部３９で電気信号に変換されて第２のコイル３８に伝達され、第２のコイル３８の周辺の磁界を変化させる。第２のコイル３８と第１のコイル３６とは対面しかつ近接して配置されているため、第２のコイル３８の周辺の磁界の変化により、第１のコイル３６に第２のコイル３８に流れた電気信号と同じ波形の起電力が生じ、この起電力を制御部３７に伝達することにより、制御部３７は操作部３９で設定した操作内容を検知し、これに基いて加熱調理器１０の関係部位に制御信号を出力する。
【００３３】
上記の説明では、第２のコイル３８と第１のコイル３６を、操作部３９からの電気信号の伝達に用いた場合を示したが、外部電源から操作部３９へ電力を供給するための電力供給用コイルとして用いてもよく、あるいは、操作部３９からの信号伝達のための第１、第２のコイル３６，３８とは別に、電力供給用コイルを設けてもよい。
【００３４】
本実施の形態によれば、コネクタによる接続などの物理的な結線作業を必要とすることがなく、第１、第２のコイルに３６，３７より無接触で操作部３９からの電気信号を制御部３８へ伝達することができるので、誤接続や接続忘れを生ずることなく、電気信号を確実に伝達することができる。
【００３５】
［実施の形態５］
図１０は本発明の実施の形態５に係る加熱調理器の要部の説明図である。なお、実施の形態１と同じ部分には、これと同じ符号を付してある。
図において、２６は本体ユニット１１の本体部１２に設けられて、本体ユニット１１を流し台１に固定するロック機構である。
【００３６】
ロック機構２６において、２７は本体部１２の前面構造部３３が取り付けられる側の側壁に沿って、前後に摺動可能に設けられた連結棒で、前端部は本体部１２の前面に設けた角状の凹部２２内に突出し、後端部にはピン２７ａにより連結腕２８の一端が回動可能に連結されており、連結腕２８の他端にはねじ付きピン２８ａが設けられている。
【００３７】
２９は長手方向に長穴２９ａが設けられた固定腕で、この長穴２９ａに連結腕２８のねじ付きピン２８ａが嵌入されて連結されている。なお、図示してないが、本体部１２の後壁には、連結棒２７とこれに連結された連結腕２８及び固定腕２９の一部が出入りするスリット状の開口部が設けられている。
【００３８】
上記のようなロック機構２６を備えた本体ユニット１１を流し台に組み込む際は、連結腕２８のねじ付きピン２８ａを緩めて固定腕２９を長穴２９ａを利用して移動させ、本体部１２内に引き込ませる。
そして、本体ユニット１１を流し台１内に組み込んだのち、固定腕２９の一部を本体部１１の後壁に設けた開口部から引き出し、連結腕２８との間にある角度θで保持し、ねじ付きピン２８ａにより固定腕２９を連結腕２８に固定する。このときの状態を図１０に実線で示す。
【００３９】
いま、前面ユニット３０を流し台１の前面開口部５内に組み込むと、これと一体的に設けた前面構造部３３の突出部３３ａが本体部１２の凹部２２に嵌入して連結棒２７の先端部を矢印方向に押圧する。
これにより、連結棒２７は後方に移動してこれに連結された連結腕２８の一部と共に、破線で示すように本体部１２の後壁から外方に飛び出し、連結腕２８は破線で示すように変位し、ねじ付きピン２８ａは斜め下方に移動する。
【００４０】
連結腕２８の変位、したがってねじ付きピン２８ａの斜め下方への移動に伴って、連結腕２８と一体化された固定腕２９は破線で示すように変位し、その先端部が流し台１の天板２の下面に圧着されて、本体ユニット１１のトッププレート１５とにより、流し台１の天板を挟持し、ロックする。なお、連結棒２７を常時前面側に付勢する付勢手段を設けてもよい。
本実施の形態によれば、前面パネル１の組み込みと同時に固定装置２６を自動的に作動させて、本体ユニット１１を流し台１にロックすることができる。
【符号の説明】
【００４１】
１  流し台、２  天板、３  天面開口部、４  前面板、５  前面開口部、１０  加熱調理器、１１  本体ユニット、１２  本体部、１５  トッププレート、２１  ガイド部、２２  支持体、２６  ロック機構、３０  前面ユニット、３１  前面意匠パネル、３２  グリル意匠パネル、３３  前面構造部、３４，３５  コネクタ、３６  第１のコイル、３７  制御部、３８  第２のコイル、３９  操作部、４０  グリル、４１  加熱庫、４２  扉。
【図１】
0005441771.tif 000002
【図２】
0005441771.tif 000003
【図３】
0005441771.tif 000004
【図４】
0005441771.tif 000005
【図５】
0005441771.tif 000006
【図６】
0005441771.tif 000007
【図７】
0005441771.tif 000008
【図８】
0005441771.tif 000009
【図９】
0005441771.tif 000010
【図１０】
0005441771.tif 000011